(57)【特許請求の範囲】
【請求項１】
打撃機構を備えた工具本体の先端に釘打ち込み方向に往復動可能に設けられるとともに上記打撃機構の安全装置を構成するコンタクトノーズの先端をフロア材のさねの基部の角隅部に押し付けてコンタクトノーズの内部に形成した射出部の先端から釘を打ち込むフロア施工用釘打機であって、
上記コンタクトノーズの先端部に、上記射出部の内部に詰まった釘を除く除釘穴を形成したことを特徴とするフロア施工用釘打機の除釘機構。
【請求項２】
上記除釘穴は上記コンタクトノーズの先端部の背面側に形成されたことを特徴とする、請求項１に記載のフロア施工用釘打機の除釘機構。
【請求項３】
上記射出部の背面側に形成された釘供給用マガジンの下部にマガジンカバーを摺動自在に設けるとともに、このマガジンカバーの端部から突出形成された覆い部によって上記除釘穴を覆うことを特徴とする、請求項１又は２に記載のフロア施工用釘打機の除釘機構。
【発明の詳細な説明】
【技術分野】
【０００１】
本発明は、主にフロア材のさね継ぎ作業に供される釘打機に詰まった釘を除くための除釘機構に関する。
【背景技術】
【０００２】
一般に、フロア施工においては、多数のフロア材をさね接ぎによって施工することが多い。これは、下地材の上に一枚のフロア材を載置し、その端面から突出しているさねの基部の角隅部から下地材に向かってステープルなどの特殊な釘を斜めに打ち込んで固定し、上記さねを次のフロア材の端面に形成された受け溝に嵌合させて接ぎ合わせ、さらにこのフロア材の反対側の端面に形成されたさねの基部の角隅部から同じようにして釘を斜めに打ち込み、このさねをさらに次のフロア材の受け溝に嵌合するという作業を繰り返して施工する方法である。
【０００３】
このようなフロア施工においては、さねとフロア材の端面とによって形成される角隅部に釘を打ち込むのであるが、上記角隅部の打ち込み部分は小さいので、釘打機を押し付けたときに釘打機が不安定になりやすく、打ち込み不良が発生するおそれがある。そのため、フロア施工用の釘打機では、押し付け時に安定しやすいように、釘の射出部の先端を釘に比べて幅広に形成してある。
【０００４】
また、一般的にこの種の釘打機は、打ち込み不良などによりノーズ部に釘が詰まる場合があるので、詰まり釘を除釘するための機構が設けられている。
【特許文献１】特許第３５３１３１３号公報
【特許文献２】特開平７−３２８９５２号公報
【発明の開示】
【発明が解決しようとする課題】
【０００５】
しかしながら、幅広の先端部ではどこから釘が出てくるのかわかりにくいという問題がある。
【０００６】
また、従来の除釘機構は、ノーズ部に開閉蓋を設け、蓋を開いて詰まった釘を取り除く方式のものが多いから、開閉作業が面倒であり、また構造が複雑で釘が打ち出される先端部分が大きくなり、フロア施工用の釘打機には好ましくない。さらに、開口部分が大きいので耐久性が犠牲になるという問題もある。
【０００７】
本発明は上記問題点を解消し、構造が簡単でコンパクトな形状を損なうことがなく、しかもフロア施工時には釘の打ち込み位置を把握しやすいフロア施工用釘打機の除釘機構を提供することをその課題とする。
【課題を解決するための手段】
【０００８】
上記課題を解決するため、請求項１に係る発明は、打撃機構を備えた工具本体の先端に釘打ち込み方向に往復動可能に設けられるとともに上記打撃機構の安全装置を構成するコンタクトノーズの先端をフロア材のさねの基部の角隅部に押し付けてコンタクトノーズの内部に形成した射出部の先端から釘を打ち込むフロア施工用釘打機であって、上記コンタクトノーズの先端部に、上記射出部の内部に詰まった釘を除く除釘穴を形成したことを特徴とする。
【０００９】
請求項２に係る発明は、請求項１において、上記除釘穴は上記コンタクトノーズの先端部の背面側に形成されたことを特徴とする。
【００１０】
請求項３に係る発明は、請求項１又は２において、上記射出部の背面側に形成された釘供給用マガジンの下部にマガジンカバーを摺動自在に設けるとともに、このマガジンカバーの端部から突出形成された覆い部によって上記除釘穴を覆うことを特徴とする。
【発明の効果】
【００１１】
請求項１に係る発明によれば、コンタクトノーズの先端部に、上記射出部の内部に詰まった釘を除く除釘穴を形成したので、打ち込み時に釘が射出部内で詰まってしまった場合は、詰まった釘は除釘穴からドライバや金属の丸棒などを入れて掻き出せばよい。
【００１２】
また、コンタクトノーズの背面側に除釘穴を形成するという簡単な構成であるから、コンパクトな形状が損なわれることがない。
【００１３】
請求項２に係る発明によれば、上記除釘穴は上記コンタクトノーズの先端部の背面側に形成されているので、釘打機を傾けて行なうフロア施工では除釘穴が見やすく、釘が打ち出される位置の目印にもなる。しかも、肉薄で打ち込み位置を把握しやすく、幅広で安定しやすいとともに、狙いやすさが向上する。加えて、打ち込み位置を知るだけのためのマーキングあるいは部品や溝の追加の必要がないからコストも低く抑えることができる。
【００１４】
請求項３に係る発明によれば、マガジンカバーの端部から突出形成された覆い部によって除釘穴を覆うので、釘詰まり時にはマガジンカバーを摺動させることによって除釘穴を露出させることができるとともに、通常時は除釘穴が覆い部によって覆われるので、除釘穴から釘が打ち出されるのを確実に防止することができる。
【発明を実施するための最良の形態】
【００１５】
図１は釘打機の斜視図、図２は上記釘打機の縦断面図、図３はその要部の拡大図である。上図において、符号１は釘打機を示す。この釘打機１は打撃機構を備えた工具本体２と、工具本体２から後方に配置されたグリップ３と工具本体２の先端（下端）から突出するように設けられたコンタクトノーズ４と、コンタクトノーズ４の内部に形成された射出部６に複数の釘（ステープル釘）を連結した連結釘（図示せず）を順次供給する長方形状のマガジン５とを備え、マガジン５の釘供給路から射出部６に供給された連結釘の先頭釘（以下単に釘という）を上記打撃機構を構成する打撃ピストン８と一体に結合したドライバ７によって打ち出すものである。
【００１６】
上記打撃機構は、上記射出部６に摺動自在に収容されて釘を打撃するドライバ７と、ドライバ７の上端で一体に結合した打撃ピストン８と、打撃ピストン８を摺動自在に収容する打撃シリンダ９と、工具本体２内の圧縮エアを貯留するエアチャンバ１０と上記打撃シリンダ９の上端とを開閉制御するメインバルブ１１やトリガ１２の操作によってメインバルブ１１の開閉を制御するトリガバルブ１３などから構成されている。
【００１７】
上記コンタクトノーズ４は、全部詳細は省略するが、釘打ち込み方向に往復動可能に設けられ、その下部４ａは工具本体２から突出し、その上端部４ｂは図３に示されるように、トリガ１２のコンタクトレバー１５のバネ１６に係合可能に設けられ、常時工具本体１から突出する方向にバネ付勢されている。上記コンタクトノーズ４の下部４ａと上端部４ｂとの間は点線で示すように連結されている。そして、打ち込み時にコンタクトノーズ４をフロア材などの被打込み材に押し付けることにより、工具本体２に対して同図に点線で示すように相対的に上方に移動させ、上記コンタクトノーズ４の上端部４ｂによりコンタクトレバー１５を回動させる。この状態ではトリガ１２を引き操作したときに初めて有効にバルブステム１８を押し込んでトリガバルブ１３を作動させ、さらにメインバルブ１１を開き作動させてエアチャンバ１０内の圧縮エアにより打撃ピストン８を打ち込み駆動するように構成されている。このように、コンタクトノーズ４は釘を打ち出す射出機能と上記打撃機構の安全装置の２つの機能を有している。
【００１８】
上記打撃機構やコンタクトノーズ４自体の機構は公知のものでよい。
【００１９】
ところで、コンタクトノーズ４の先端面１７は射出部６をはさんでその両側に９０度以下の角度をなすように形成されている。図３に示されるように、射出部６は上記先端面１７の頂部１９に開口している。
【００２０】
次に、釘打機によってフロア施工によりフロア材を下地材に釘固定するときは、図４に示されるように、まずコンタクトノーズ４の先端面１７をフロア材２０のさね２１の基部の角隅部２２に当てる。このとき、上記先端面１７は９０度以下に形成されているから、コンタクトノーズ４を確実に角隅部２２に当てることができる。さらに、コンタクトノーズ４の先端面１７をフロア材２０に押し付ける。これにより、釘打機の工具本体１は下方に移動するが、コンタクトノーズ４は相対的に工具本体１に対して上方に移動し、トリガ１２が有効に作動する状態となる。そこで、起動用トリガ１２を引いて打撃機構を作動させることにより、釘２３を約４５度の角度で打ち出すことができる。
【００２１】
コンタクトノーズ４の先端面１７はフロア材２０のさね２１の基部の角隅部２２の角度と同じかそれよりも小さく形成され、上記射出部６は上記先端面１７の頂部１９に開口されているので、射出部６の先端と角隅部２２との間にほとんど隙間が出ない。したがって、射出部６から打ち出された釘２３の先端は、射出部６の開口端から出た瞬間に角隅部２２に打ち込まれていくから、釘２３の先端がふらつくことがない。打ち込みが進むにつれて釘２３の姿勢は安定する。このように、釘２３が射出部６を出た直後からある程度フロア材２０中に打ち込まれるまでの間、釘２３の姿勢は不安定であるが、射出部６の開口部とフロア材２０との間にはほとんど隙間がないため、釘２３の姿勢は射出部６から出た後にフロア材２０にある程度打ち込まれるまでの間も継続して射出部６内で保持されるから、完全に出終わるまで十分に安定に保持され続ける。したがって、打ち込み時に釘が座屈するのを確実に防止することができる。
【００２２】
ところで、工具本体２の下部にはドライバ７のガイド部２４が形成され、さらにその下方にはドライバ７を摺動自在に収容するとともに釘２３を打ち出す射出部６が形成されている。射出部６の上部背面側はマガジン５の前端に開口し、射出部６の下部はコンタクトノーズ４の下部と、マガジン５に形成された覆い部２６とによって構成されている。
【００２３】
なお、マガジン５の内部に収納された連結釘は先頭のものから順に射出部６に供給されるが、この釘は、次位以降の連結釘を介して又は直接に、常時連結釘を前方に押圧するプッシャ（図示せず）によって支持される。
【００２４】
コンタクトノーズ４の下部は、射出部６の前面側のコンタクトノーズ本体２７と射出部６の背面側の背面板２８とから構成されている。
【００２５】
図１及び図５に示されるように、コンタクトノーズ本体２７の背面中央にはコ字形のガイド溝３０（射出部６を構成）が形成され、両側の下端には突片３１が形成されている。この突片３１の先端部は、上述の先端面１７を構成するもので、９０度以下の角度をなして楔状に形成されている。
【００２６】
背面板２８はコンタクトノーズ本体２７のガイド溝３０を覆うもので、上記両側突片３１間に配置され、溶接固定されている。また、背面板２８の中央上部にはスリット状の除釘穴３２が形成されている。除釘穴３２の幅はガイド溝３０の溝幅よりも小さく形成されている。また、背面板２８の下端には、上記コンタクトノーズ４の先端面の背面側の傾斜と同じ角度の傾斜面３３が形成されている。
【００２７】
次に、覆い部２６は上記背面板２８の上部に配置されて上記ガイド溝３０の上部を覆うものであるが、コンタクトノーズ４ではなく、マガジンカバー３４の前端から下方に突出形成されている。図６に示されるように、マガジンカバー３４はマガジン５の長手方向に摺動自在に設けられ、摺動によってマガジン５の内部の釘収容部を開閉するものである。上記釘収容部を閉じたときに、上記覆い部２６がコンタクトノーズ４の背面側のガイド溝３０を覆うとともに、上記背面板２８の除釘穴３２の一部分を覆うことができるように形成されている。つまり、図７のようにコンタクトノーズ４を被打込み材に押し付けることにより工具本体２に対して相対的に上方移動したときに、除釘穴３２の大部分を覆う範囲に設定すればよい。また、上記覆い部２６の前面には凹部３５が形成されている。この凹部３５は、上記コンタクトノーズ４を被打込み材等に押し付けたときに、同時に移動する背面板２８の上部２８ａを受け入れるためのものである。
【００２８】
上述のように、射出部６は、コンタクトノーズ本体２７のガイド溝３０と、このガイド溝３０の開口端を後ろ側から塞ぐ背面板２８とマガジンカバー３４の覆い部２６とによって形成される。したがって、釘打ち込み時には、マガジン５から射出部６内に供給された先頭釘をドライバ７が打撃するので、釘は射出部６のガイド溝３０を通り、先端から打ち出される。そして、釘が射出部６内で詰まってしまった場合は、図６に示されるように、マガジンカバー３４を後退させる。これにより、コンタクトノーズ４の背面側のガイド溝３０が露出すると同時に、除釘穴３２も露出するから、詰まった釘は除釘穴３２からドライバや金属の丸棒などを入れて掻き出せばよい。
【００２９】
また、フロア施工時には釘打機を傾けて行なうので、背面板２８の除釘穴３２は見やすい位置に形成されている。したがって、釘２３が打ち出される位置の目印にもなる。しかも、コンタクトノーズ４は肉薄であるから打ち込み位置（角隅部）を把握しやすいので、コンタクトノーズ４と除釘機構との組み合わせにより、安定するが幅広で打ち込み位置がわかりにくい先端形状の釘打機であっても、狙いやすさが向上する。加えて、打ち込み位置を知るだけのためのマーキングあるいは部品や溝の追加の必要がないからコストも低く抑えることができる。
【００３０】
さらに、釘打ち込み時に、コンタクトノーズ４を被打込み材に押し付けたときに除釘穴３２のほとんどが覆い部２６によって覆われるので、除釘穴３２から釘が打ち出されるのを確実に防止することができる。
【００３１】
さらに、上記除釘機構は、コンタクトノーズ４の背面側に除釘穴３２を形成するという簡単な構成であるから、コンパクトな形状が損なわれることがない。また、背面板２８を厚くすることにより、低コストでありながら十分な強度を確保することができる。
【００３２】
なお、除釘穴３２は上述の形態のようなスリット状に限定されない。丸形であっても、長孔であってもよく、背面板２８の一側に片寄り位置に設けられていてもよい。
【図面の簡単な説明】
【００３３】
【図１】本発明に係る釘打機の一例の斜視図である。
【図２】上記釘打機の縦断面図である。
【図３】図２の要部の拡大図
【図４】フロア材に釘を打ち込んだ状態の拡大断面図である。
【図５】コンタクトノーズの下部の分解斜視図である。
【図６】マガジンカバーを引き出した状態の斜視図である。
【図７】コンタクトノーズをフロア材に押し付けた状態の斜視図である。
【符号の説明】
【００３４】
２    工具本体
４    コンタクトノーズ
６    射出部
３２  除釘部
【図１】
0004525585.tif 000002
【図２】
0004525585.tif 000003
【図３】
0004525585.tif 000004
【図４】
0004525585.tif 000005
【図５】
0004525585.tif 000006
【図６】
0004525585.tif 000007
【図７】
0004525585.tif 000008